(57)【特許請求の範囲】
【請求項１】
下地壁に取り付けられる外壁パネルであって、裏面には、下地壁側へ突出する複数の突条部が格子状に交差した状態の凹凸面が形成され、この凹凸面の凸面には、高さが実質的に等しい突起部が複数配設されていることを特徴とする外壁パネル。
【請求項２】
突起部は、突条部の交差部に設けられていることを特徴とする請求項１に記載の外壁パネル。
【請求項３】
突条部の幅は、突起部の平断面最大長さよりも大きいことを特徴とする請求項１または２に記載の外壁パネル。
【請求項４】
外壁パネルは、上端に、垂直面と水平面からなる断面Ｌ字状の固定片が設けられ、この固定片の水平面には、外壁パネル裏面側へと通じる通気孔が設けられていることを特徴とする請求項１から３のいずれかに記載の外壁パネル。
【発明の詳細な説明】
【技術分野】
【０００１】
本発明は、外壁パネルに関するものである。
【背景技術】
【０００２】
従来、下地壁と外壁パネルとの間に胴縁を配設して通気性を確保することで壁内結露の発生を抑制している。
【０００３】
さらに、外壁パネルの裏面に突起を設けることで、胴縁を配設することなく、下地壁と外壁パネルとの間に通気層を形成することも提案されている（例えば、特許文献１、２）。
【先行技術文献】
【特許文献】
【０００４】
【特許文献１】特開平１１−１０７３９４号公報
【特許文献２】特開２０００−１９７１号公報
【発明の概要】
【発明が解決しようとする課題】
【０００５】
しかしながら、外壁パネルを下地壁に沿って上下左右に組み付けていくと、外壁パネルの縦方向に応力が生じ、外壁パネルが変形することがある。特に、特許文献１、２のように裏面に突起を有する外壁パネルの場合、下地壁と当接する各突起の周辺において、変形、亀裂等が生じることがあり、外壁パネルとしての強度に改善すべき点があると考えられた。
【０００６】
本発明は、以上のような事情に鑑みてなされたものであり、下地壁と外壁パネルとの間の通気性を確保しつつ、強度に優れた外壁パネルを提供することを課題としている。
【課題を解決するための手段】
【０００７】
上記の課題を解決するため、本発明は、下地壁に取り付けられる外壁パネルであって、裏面には、下地壁側へ突出する複数の突条部が格子状に交差した状態の凹凸面が形成され、この凹凸面の凸面には、高さが実質的に等しい突起部が複数配設されていることを特徴とする。
【０００８】
本発明の外壁パネルでは、突起部は、突条部の交差部に設けられていることが好ましい。
【０００９】
本発明の外壁パネルでは、突条部の幅は、突起部の平断面最大長さよりも大きいことがより好ましい。
【００１０】
本発明の外壁パネルでは、上端に、垂直面と水平面からなる断面Ｌ字状の固定片が設けられ、この固定片の水平面には、外壁パネル裏面側へと通じる通気孔が設けられていることが一層好ましい。
【発明の効果】
【００１１】
本発明の外壁パネルは、裏面に、下地壁側へ突出する複数の突条部が格子状に交差した状態の凹凸面が形成されている。このため、外壁パネルの強度が３次元的に補強され、外壁パネルを下地壁に沿って上下左右に組み付けた場合に、外壁パネルに生じる応力による変形、破損を抑制することができる。
【００１２】
また、本発明の外壁パネルは、凸面（突条部）に、高さが実質的に等しい突起部が複数設けられている。このため、下地壁と外壁パネルとの間の通気性を確保することができる。さらに、各突起部の周辺が交差する突条部によって補強されるため、突起部の周辺における変形、亀裂等を抑制することができる。
【図面の簡単な説明】
【００１３】
【図１】本発明の外壁パネルの一実施形態を例示した背面図である。
【図２】図１のＡ−Ａ断面図である。
【図３】図２のＢ部の拡大図である。
【発明を実施するための形態】
【００１４】
図１は、本発明の外壁パネルの一実施形態を例示した背面図である。図２は、図１のＡ−Ａ断面図である。
【００１５】
外壁パネル１は、充填層２の外表面を薄板状金属板３で覆った金属サイディング材を例示することができる。金属サイディング材は、経年変化に対する耐久性が高く、軽量で取り扱いやすく、また、エンボス加工によって表面に様々な凹凸形状、模様等の意匠が簡単に表わせるという特徴がある。また、外壁パネル１の裏面は、金属製の他、樹脂製とすることもできる。
【００１６】
具体的には、金属サイディング材の薄板状金属板３は、材料として、例えば、鋼板、アルミニウム板、銅板や、これらの金属に亜鉛や、ニッケルなどを含有させた合金板などを例示することができる。また、金属サイディング材の表面には、適宜、塗装を施すこともできる。
【００１７】
また、充填層２には、例えば、ポリウレタンフォーム、ポリスチレンフォーム、ポリエチレンフォーム等の発泡樹脂、ロックウール、石膏ボードなど、一般に断熱材料として用いられている材料を用いることができる。
【００１８】
さらに、外壁パネル１は、薄板状金属板３の上下端部が折曲げ成形され、上端に嵌合凸部４、下端に嵌合凹部５が形成されている。外壁パネル１を下地壁の縦方向に組み付ける場合には、外壁パネル１同士の嵌合凸部４と嵌合凹部５とを嵌合させることで外壁パネル１を上下に連結して組み付けることができる。なお、嵌合凸部４および嵌合凹部５の形状は特に限定されず、適宜設計することができる。
【００１９】
そして、外壁パネル１の裏面Ｓには、下地壁側へ突出する複数の突条部６が格子状に交差した状態の凹凸面（凹面Ｘ、凸面Ｙ）が形成されている。図１に例示した形態では、突条部６は略直交している。また、各突条部６は、外壁パネル１の端部間を横断しており、突条部６による格子は、外壁パネル１の縦方向、横方向に対して略４５°傾斜している。
【００２０】
また、図２に例示したように、各突条部６は、横断面が台形状に形成されている。さらに、突条部６の高さは、外壁パネル１の強度を考慮して適宜設計することができる。具体的には、突条部６の高さは、例えば、６ｍｍ〜１０ｍｍに設計することができる。
【００２１】
突条部６が格子状に交差した状態の凹凸面（凹面Ｘ、凸面Ｙ）が形成されていることによって、外壁パネル１の強度が３次元的に補強されるため、外壁パネル１を下地壁に沿って上下左右に組み付けた場合に、外壁パネル１に生じる応力による変形、破損を抑制することができる。また、特別な補強部材を必要とせず、外壁パネル１の製造コストも安価に抑えることができる。
【００２２】
さらに、突条部６によって形成される凹凸面（凹面Ｘ、凸面Ｙ）は、凸面Ｙ（突条部６）に、略円柱状の突起部７が複数配設されている。突起部７は、実質的に高さが等しく、先端面７aから突条部６へ向かって広がるようにわずかに傾斜している。外壁パネル１が下地壁に取り付けられると、突起部７は下地壁と当接し、外壁パネル１の裏面Ｓと下地壁の間に通気空間を形成する。
【００２３】
また、突起部７は、突条部６の交差部に設けられている。突起部７の高さは、下地壁に外壁パネル１を取り付けた際に、下地壁の表面に突起部７の先端面７aが当接し、下地壁と外壁パネル１との間に通気空間が形成されるように適宜設計することができる。具体的には、突起部７の高さは、例えば、１８ｍｍ〜２１ｍｍに設計することができる。
【００２４】
突起部７が突条部６の交差部に設けられているため、各突起部７の周辺が交差する突条部６によって補強され、外壁パネル１を下地壁に沿って上下左右に組み付けた場合にも、突起部７の周辺における変形、亀裂等を抑制することができる。
【００２５】
突条部６の幅は、突起部７の平断面最大長さよりも大きい範囲で適宜設計することが好ましい。これによって、下地壁と当接する突起部７の周辺の変形、亀裂等を抑制することができる。具体的には、例えば、突起部７の平断面最大長さが２５ｍｍである場合には、突条部６の幅は、例えば、３０ｍｍ〜４０ｍｍに設計することができる。さらに、突条部６同士の間隔も適宜設計することができ、突条部６同士の間隔によって、凹面Ｘの寸法が決定される。実際的には、突条部６同士の間隔は、例えば、４０ｍｍ〜６０ｍｍに設計することができる。
【００２６】
なお、外壁パネル１の裏面Ｓに突条部６、突起部７を設ける方法としては、外壁パネル１の裏面Ｓが金属の場合には、プレスまたはエンボス成形する方法を例示することができる。また、外壁パネル１の裏面Ｓが樹脂の場合には、ブロー成形による方法を例示することができる。
【００２７】
図３は、図２のＢ部の拡大図である。
【００２８】
外壁パネル１の上端には、垂直面８aと水平面８bからなる断面Ｌ字状の固定片８が設けられている。固定片８は、外壁パネル１と一体であっても別体であってもよい。この固定片８の垂直面８aには、ねじや釘などの固定部材Ｔを挿通して、外壁パネル１を下地壁に取り付けることができる。固定片８の水平面８bには、外壁パネル１の裏面Ｓ側へと通じる通気孔９が設けられている。したがって、外壁パネル１を下地壁に組み付けると、固定片８の通気孔９から外壁パネル１の裏面Ｓ側へ外気が流入する（図中矢印）。そして、流入した外気は、凸面Ｙ（突条部６）上面に設けられた突起部７によって形成された下地壁と外壁パネル１との間の通気空間を流通する。したがって、胴縁を設けずとも壁内結露の発生を抑制することができるため、材料コスト、施工コストが抑制される。
【００２９】
なお、本発明の外壁パネルは、以上の形態に限定されるものではない。例えば、突条部の格子は、外壁パネルの縦方向と平行な突条部と、外壁パネルの横方向と平行な突条部を直交させて形成することもできる。
【００３０】
また、突起部の形状も特に限定されず、例えば、角柱状であってもよい。さらに、突起部の数、位置は、下地壁と外壁パネルとの間に通気空間が形成されるように、適宜間欠的に設けることができる。
【符号の説明】
【００３１】
１  外壁パネル
６  突条部
７  突起部
８  固定片
８a  垂直面
８b  水平面
９  通気孔
Ｓ  外壁パネルの裏面
Ｘ  凹面
Ｙ  凸面
【図２】
0005469009.tif 000002
【図３】
0005469009.tif 000003
【図１】
0005469009.tif 000004